(57)【要約】【課題】軽い力で容易にアイロン掛けを行うことができるだけでなく、良好な仕上がり状態を常に実現することができるアイロン台を提供する点にある。【解決手段】衣類を載置してアイロン掛けを行う台本体１と、この台本体の裏面に備えた支持脚とからなるアイロン台において、前記台本体１を上下方向で移動可能に弾性支持するための弾性体１０を該台本体１と前記支持脚との間に介在したことを特徴とする。【選択図】図３
2007143838.tif 000002
【特許請求の範囲】
【請求項１】
衣類を載置してアイロン掛けを行う台本体と、この台本体の裏面に備えた支持脚とからなるアイロン台において、前記台本体を上下方向で移動可能に弾性支持するための弾性体を該台本体と前記支持脚との間に介在させたことを特徴とするアイロン台。
【請求項２】
前記支持脚の台本体側端部を支持し、かつ、前記台本体を載置支持するための支持部材を設け、前記支持部材に前記弾性体を備えさせてなる請求項１に記載のアイロン台。
【請求項３】
前記支持部材を、前記支持脚の台本体側端部が支持される前後方向に長い左右に配置された左右一対の前後フレームと、これら左右一対の前後フレームの前側の上面同士及び後側の上面同士に左右方向で架け渡して両者を固定するとともに、前記台本体を前記弾性体を介して載置支持するための左右方向に長い前後に配置された前後一対の左右フレームとから構成してなる請求項２記載のアイロン台。
【請求項４】
前記弾性体が複数のコイルスプリングからなる請求項１〜３のいずれかに記載のアイロン台。
【請求項５】
前記台本体をメッシュ状に構成し、このメッシュ状に構成された台本体の裏面に取付部材を設け、前記支持部材と前記取付部材との間に前記コイルスプリングを取り付けてなる請求項４に記載のアイロン台。
【発明の詳細な説明】
【技術分野】
【０００１】
本発明は、衣類を載置してアイロン掛けを行う台本体と、この台本体の裏面に備えた支持脚とからなるアイロン台に関する。
【背景技術】
【０００２】
上記アイロン台として、例えば台本体上をアイロンが移動し易いように、台本体の長手方向に沿う中央部から両側縁に向かって徐々に下がる二次元曲面に形成している。つまり、台本体の上面であるアイロン作用面と平坦なアイロンの下面のアイロン面との間が線接触状態になるので、アイロン移動の際の抵抗が少なくなる結果、ある程度軽い力でアイロン掛けを行うことができるようにしている（例えば、特許文献１参照）。
【特許文献１】特開２００４−２３６８２３号公報（図１、図３参照）
【発明の開示】
【発明が解決しようとする課題】
【０００３】
上記特許文献１のアイロン台では、アイロンを移動させる際の抵抗が少なくなり、その分アイロン掛けを軽い力で行うことができるものの、アイロンを台本体に押し付けながら移動させることによりアイロン掛けを行っているときに、台本体に加えた押し付け力が脚部を介して床面に達し、その床面からの全反力が脚部、台本体を介してアイロンに作用するため、アイロン掛けを確実に行うためにはそれ相当の力を必要とすることから、アイロン掛け作業を軽い力で容易に行うことができないものであった。
又、台本体の上面であるアイロン作用面と平坦なアイロンの下面のアイロン面との間が線接触状態であるため、台本体の上面へのアイロンの押し付け力を常に均一にかけることができず、アイロン掛け後の仕上がり状態にバラツキが発生することもあった。
【０００４】
本発明が前述の状況に鑑み、解決しようとするところは、軽い力で容易にアイロン掛けを行うことができるだけでなく、良好な仕上がり状態を常に実現することができるアイロン台を提供する点にある。
【課題を解決するための手段】
【０００５】
本発明のアイロン台は、前述の課題解決のために、衣類を載置してアイロン掛けを行う台本体と、この台本体の裏面に備えた支持脚とからなるアイロン台において、前記台本体を上下方向で移動可能に弾性支持するための弾性体を該台本体と前記支持脚との間に介在させたことを特徴としている。
台本体上にアイロンを押し付けて台本体を下方側へ移動させると、移動させた分の弾性体からの弾性力による反力がアイロンに作用することになる。そして、アイロンを台本体の中心から外周縁側に移動させることにより、台本体を外周縁側ほど下方に位置する傾斜姿勢にすることができ、アイロンを傾斜した台本体の上面の傾斜面に沿って外周縁側へ移動し易くなる。又、アイロンの平坦なアイロン面と台本体の上面とを常に面接触させることができるから、アイロンのアイロン面を台本体の上面に弾性体からの弾性力による反力を均一に作用させることができ、バラツキのない良好な仕上がり状態を常に実現することができ、商品価値の高いものにすることができる。
【０００６】
前記支持脚の台本体側端部を支持し、かつ、前記台本体を載置支持するための支持部材を設け、前記支持部材に前記弾性体を備えさせてもよい。
【０００７】
前記支持部材を、前記支持脚の台本体側端部が支持される前後方向に長い左右に配置された左右一対の前後フレームと、これら左右一対の前後フレームの前側の上面同士及び後側の上面同士に左右方向で架け渡して両者を固定するとともに、前記台本体を前記弾性体を介して載置支持するための左右方向に長い前後に配置された前後一対の左右フレームとから構成してもよい。
【０００８】
前記弾性体を複数のコイルスプリングから構成してもよい。
【０００９】
前記台本体をメッシュ状に構成し、このメッシュ状に構成された台本体の裏面に取付部材を設け、前記支持部材と前記取付部材との間に前記コイルスプリングを取り付けてもよい。
【発明の効果】
【００１０】
台本体を上下方向で移動可能に弾性支持するための弾性体の弾性力を利用してアイロン掛けすることによって、台本体から脚部を介して床面に伝達された押し付け力の全てが反力として脚部、台本体を介してアイロンに作用することがなく、その分アイロンの移動を軽快に行うことができるだけでなく、手首への負担が少なくなり、アイロン掛けが行い易い利点がある。しかも、アイロンを台本体の中心から外周縁側に移動させることにより、台本体を外周縁側ほど下方に位置する傾斜姿勢にすることができ、アイロンを傾斜した台本体の上面の傾斜面に沿って外周縁側へ移動し易くなり、更に容易にアイロン掛けを行うことができる。アイロンの平坦なアイロン面と台本体の上面とを常に面接触させることができるから、アイロンのアイロン面を台本体の上面に弾性体からの反力を均一に作用させることができ、バラツキのない良好な仕上がり状態を常に実現することができる
【００１１】
支持脚の台本体側端部を支持し、かつ、前記台本体を載置支持するための支持部材を設け、前記支持部材に前記弾性体を備えさせることによって、アイロン台全体の強度を上げるための支持部材を弾性体の取付部材として兼用構成することができ、部品点数の削減化を図ることができるだけでなく、弾性体を支持脚に直接取り付ける場合に比べて、支持部材に弾性体を確実に取り付けることができる利点もある。
【００１２】
前記支持部材を、前記支持脚の台本体側端部が支持される前後方向に長い左右に配置された左右一対の前後フレームと、これら左右一対の前後フレームの前側の上面同士及び後側の上面同士に左右方向で架け渡して両者を固定するとともに、前記台本体を前記弾性体を介して載置支持するための左右方向に長い前後に配置された前後一対の左右フレームとから構成することによって、支持部材の強度アップを前後フレームと左右フレームとで図ることで、弾性体を左右フレームにて安定よく支持することができる。
【００１３】
前記台本体をメッシュ状に構成し、このメッシュ状に構成された台本体の裏面に取付部材を設け、前記支持部材と前記取付部材との間に前記コイルスプリングを取り付けることによって、メッシュ状の台本体であってもコイルスプリングを取付部材を介して確実に台本体に取り付けることができる。
【発明を実施するための最良の形態】
【００１４】
図１に、中腰姿勢又は立ち姿勢で作業が行える高さ調節可能な大型のアイロン台が示されている。このアイロン台は、平面視ほぼ長方形状の本体部１ａとこの本体部１ａの前後方向（図１において台本体１の長手方向を前後方向とする）の前端に前方側へ円弧状に突出形成された円弧部１ｂとを備えてなる台本体１と、この台本体１の裏面（下面）に折り畳み自在に取付けられた前後一対の金属製の支持脚２，３とから構成されている。前記台本体１を、円形、楕円形、菱形、正方形、台形、船型などに形成してもよく、台本体１の形状は、これらのものに限定されるものではない。尚、以下において、前記台本体１の長手方向を前後方向とし、長手方向と直交する方向を左右方向として説明する。
【００１５】
前記台本体１は、図２及び図３に示すように、金属製のメッシュ状に形成された本体部４と、この本体部４の外周縁を構成する金属製の棒状の枠部材５と、前記本体部４上に載置した綿等からなるクッション材６と、このクッション材６を本体部４の上面に押し付けるために上方から覆い被せる布製のカバー７とを備え、前記本体部４の内面（裏面）にそれの左右方向（台本体１の長手方向と直交する方向）の一端から他端に渡る長さを有する前後一対の板状で金属製からなり、後述するスプリング１０，１０の取付部材としての補強部材８，８を溶接（接着剤などでもよい）により固定し、前記本体部４の内面（裏面）にそれの前後方向（台本体１の長手方向）の一端から他端に渡る長さを有する左右一対の金属製の補強用フレーム９，９を溶接（接着剤などでもよい）により固定している。前記各補強用フレーム９は、下方が開放された門型の形状に形成されている。前記台本体１をメッシュ状に形成された本体部４を備えさせることにより、衣類に吹き付けられる蒸気を下方に抜け易くすることができるが、蒸気を下方に抜くことができない平板状のものから構成してもよく、台本体１の具体構成はこれらのものに限定されるものではない。尚、前記台本体１の厚み方向は、図１において衣類を載置する載置面に対して直交する方向、つまり図１では上下方向である。前記本体部４の内面（裏面）にそれの左右方向の一端から他端に渡る長さを有する前後一対の補強部材８，８を備えさせることによって、本体部４の補強を行いながらも、後述するスプリング１０，１０の取付部材として兼用構成することができ、部品点数の削減を図ることができる利点があるが、補強部材８，８を省略して実施してもよい。前記補強部材８，８を省略する場合には、スプリング１０，１０を取り付けるための取付部材を、本体部４の裏面に単又は複数（２つ以上、コイルスプリングの個数と同数又は同数でなくてもよい）を取り付けて実施することになる。このときの取付部材の大きさは、コイルスプリング１０が取り付けられる最低限の大きさを有するものであればよく、取付部材の大きさ及び形状は、自由に変更することができる。
【００１６】
図２及び図３に示すように、前記台本体１を構成する前後一対の補強部材８，８のそれぞれに、左右一対の鼓型コイルスプリング１０，１０の上端を連結し、これら前後の鼓型コイルスプリング１０，１０、１０，１０それぞれの下端を、左右方向に長い前後に配置された前後一対の左右フレーム１１，１１に連結し、前記左右フレーム１１，１１を、これらと直交する前後方向に長い寸法に構成され、かつ、左右に所定間隔を置いて配置された互いに内側（接近する側）が開放されたコの字形状の前後フレーム１２，１２の上面に載置して溶接により連結固定している。つまり、４個の弾性体である鼓型コイルスプリング１０，１０、１０，１０を台本体１と支持脚２，３との間に介在することによって、台本体１を鼓型コイルスプリング１０，１０、１０，１０にて上下方向で移動可能に弾性支持することができるようにしている。ここでは、台本体１を上下方向で移動自在に弾性支持するための弾性体として前記鼓型コイルスプリング１０を用いたが、巻き径を同一径とした通常のコイルスプリングの他、ピッチの異なる不等ピッチスプリング、円錐コイルスプリング、タル型コイルスプリング、板バネの他、ゴムなどであってもよい。ここでは、合計４個（５個以上でもよい）の鼓型コイルスプリング１０にて台本体１を載置支持することによって、３個のコイルスプリングや２個のコイルスプリングを設ける場合に比べて、アイロンにて押し付けてアイロン掛けを行う場合に、例えば図４に示すように、台本体１をアイロンＨの移動方向Ｉ下手側（終端側）ほど下方に位置する下り傾斜姿勢にスムーズかつ確実に姿勢変更することができ、好ましいが、１個又は２個又は３個あるいは５個以上であってもよい。
そして、前記一方の支持脚２の上端を可動支軸１３に連結し、この可動支軸１３の両端にゴム製又は合成樹脂製の矩形状の摺動部材１４，１４を取り付け、それら摺動部材１４，１４を、前記前後フレーム１２，１２の前側間にそれの長手方向（前後方向）に移動自在に支持させている。また、前記他方の支持脚３の上端を前記前後フレーム１２，１２の後側間に回転自在に貫通支持された回転支軸１５に連結している。尚、前記摺動部材１４の可動支軸１３側に該可動支軸１３を内嵌するための円筒部１４Ａを備えさせている。
【００１７】
前記支持脚２，３の台本体側端部（上端）を支持し、かつ、前記台本体１を載置支持するための支持部材を、前記支持脚２，３の台本体側端部（上端）が支持される前記左右一対の前後フレーム１２，１２と、これら一対の前後フレーム１２，１２の前側の上面同士及び後側の上面同士に左右方向で架け渡して両者を溶接固定するとともに、前記台本体１をコイルスプリング１０，１０を介して載置支持するための前記左右フレーム１１，１１とから構成しているが、図７に示すように、２枚の支持フレーム２２，２２から支持部材を構成してもよいし、それら支持フレーム２２，２２を例えばＨ型の一枚の板部材から構成することもできる。前記支持フレーム１１，１１は、角型フレーム本体１１Ａと、この角型フレーム本体１１Ａの両端の上面に溶接により固定された長方形で板状の板体１１Ｂ，１１Ｂとからなり、各板体１１Ｂ，１１Ｂに前記鼓型コイルスプリング１０の下端を係止保持するための３つの係止爪１１ｂ，１１ｂ、１１ｂを切り起こして構成している。このように支持フレーム１１，１１のそれぞれに前記鼓型コイルスプリング１０，１０を備えさせることによって、支持フレーム１１，１１を鼓型コイルスプリング１０の取り付け部材として兼用構成することができ、部品点数の削減を図ることができる利点がある。前記角型フレーム本体１１Ａと板体１１Ｂ，１１Ｂとを単一の部材にて構成すれば、溶接作業が不要になり、コストの低減を図ることができる。
【００１８】
前記鼓型コイルスプリング１０の上端の取り付けについて詳述すれば、図５に示すように、前記鼓型コイルスプリング１０の上端部を２箇所で係止保持するための係止爪８Ａ，８Ａを前記前後一対の補強部材８，８の左右両端の２箇所を下方側に切り起こして構成し、前記係止爪８Ａ，８Ａと協働して鼓型コイルスプリング１０を上方側に押し付けるための係止片１６を前記補強部材８，８にビスＢを介して固定している。従って、鼓型コイルスプリング１０の上端を係止爪８Ａ，８Ａに係止保持させてから、係止片１６にて鼓型コイルスプリング１０の上端を補強部材８側へ押し付けることによって、鼓型コイルスプリング１０の上端を補強部材８に保持できるようにしているが、他の方法により保持するようにしてもよい。
【００１９】
図１〜図５では、中腰姿勢又は立ち姿勢で作業が行える高さ調節可能な大型のアイロン台を示しているが、図６及び図７に示すように、正座した状態でアイロン掛けが行える小型のアイロン台に本発明を適用してもよい。つまり、図６に示すように、前記支持脚２，３を門型に折り曲げ形成したパイプでなる脚１７，１８から構成し、前記脚１７，１８の上端の水平パイプ部１７Ａ，１８Ａを支持フレーム１１，１１の左右方向ほぼ中央にブラケット１９を介して回転自在に取り付けている。図６に示す２０が、前記水平パイプ部１７Ａ，１８Ａに連結され、かつ、前記ブラケット１９に形成の前後方向の溝１９Ｍに沿って移動可能に構成された操作用の摘み部であり、これら摘み部２０，２０をそれぞれ持って溝１９Ｍ，１９Ｍを移動させることによって、支持脚１７，１８を台本体１に接近させた折り畳み姿勢と台本体１から離間させて台本体１を支持する使用姿勢とに姿勢変更させることができるように構成している。図６に示す１２Ａ，１２Ａが、前記前後の支持フレーム１１，１１を連結するための前後フレームであり、下方が開放された門型に形成されている。他の説明しなかった構成は、図１〜図５のものと大きさや台本体１の形状が異なるだけで、他の部分は同一であり、同一の符号を付している。図６では、前記支持部材を、前後フレーム１２Ａ，１２Ａと、支持フレーム１１，１１と、ブラケット１９，１９から構成している。
【００２０】
また、図７では、支持脚を線材を折り曲げて形成した４本の脚体２１から構成し、それら４本の脚体２１のうちの前側の２本の脚体２１を前側に位置する前側の支持フレーム２２の左右両端に下方に突出するように形成した膨出部２２Ａ，２２Ａに折り畳み自在に係止保持させ、後側の２本の脚体２１を後側に位置する後側の支持フレーム２２の左右両端に下方に突出するように形成した膨出部２２Ａ，２２Ａに折り畳み自在に係止保持させている。説明しなかった他の構成は、図６と同一であり、説明を省略する。前記支持フレーム２２，２２から前記支持部材を構成している。
【図面の簡単な説明】
【００２１】
【図１】使用姿勢のアイロン台の斜視図である。
【図２】支持脚を省略した本体部の底面図である。
【図３】支持脚を省略した台本体の縦断面図である。
【図４】アイロンを移動させている支持脚を省略した台本体の縦断面図である。
【図５】鼓型コイルスプリングの取付部の構成を示す要部の分解斜視図である。
【図６】小型のアイロン台の分解斜視図である。
【図７】図６とは異なる小型のアイロン台の分解斜視図である。
【符号の説明】
【００２２】
１  台本体
１ａ  本体部
１ｂ  円弧部
２，３  支持脚
４  本体部
５  枠部材
６  クッション材
７  カバー
８  補強部材（取付部材）
８Ａ  係止爪
９  補強用フレーム
１０  鼓型コイルスプリング
１１  左右フレーム（支持フレーム）
１１Ａ  角型フレーム本体
１１Ｂ  板体
１１ｂ  係止爪
１２，１２Ａ  前後フレーム
１３  可動支軸
１４  摺動部材
１４Ａ  円筒部
１５  回転支軸
１６  係止片
１７，１８  支持脚
１７Ａ，１８Ａ  水平パイプ部
１９  ブラケット
１９Ｍ  溝
２０  摘み部
２１  脚体
２２  支持フレーム
２２Ａ  膨出部
Ｂ  ビス
【図１】
2007143838.tif 000003
【図２】
2007143838.tif 000004
【図３】
2007143838.tif 000005
【図４】
2007143838.tif 000006
【図５】
2007143838.tif 000007
【図６】
2007143838.tif 000008
【図７】
2007143838.tif 000009